(57)【要約】【課題】  有機ＥＬ層の特性劣化をもたらすことのない有機ＥＬ表示装置を提供する。【解決手段】  基板面の各画素内のそれぞれに表示電極、発光層、対向電極が順次積層され、該対向電極は透光性の材料から構成されているとともに、  平面的に観て少なくとも前記発光層が形成されている領域を除いて前記対向電極と重畳された共通電極バスを備え、  該共通電極バスは導電剤からなる接着剤を介して前記対向電極の上層に形成されている。【選択図】    図１
2006004731.tif 000002
【特許請求の範囲】
【請求項１】
基板面に発光層を含む複数の層が積層され、このうち該発光層よりも上層に位置づけられるパターン化された層を備え、
このパターン化された層は接着剤を介して積層されていることを特徴とする有機ＥＬ表示装置。
【請求項２】
発光層を含む複数の層が積層された基板と、パターン化された層が形成され該パターン化された層の表面に接着剤を備えた可撓性基板とを用意し、
該可撓性基板を、そのパターン化された層を前記基板の発光層を含む複数の層が積層された面に対向させて、前記基板に対して圧着する工程と、
前記パターン化された層を前記基板側に残存させて前記可撓性基板を取り除く工程とを有することを特徴とする有機ＥＬ表示装置の製造方法。
【請求項３】
基板面の各画素内のそれぞれに表示電極、発光層、対向電極が順次積層され、該対向電極は透光性の材料から構成されているとともに、
平面的に観て少なくとも前記発光層が形成されている領域を除いて前記対向電極と重畳された共通電極バスを備え、
該共通電極バスは導電剤からなる接着剤を介して前記対向電極の上層に形成されていることを特徴とする有機ＥＬ表示装置。
【請求項４】
基板面の各画素内のそれぞれに、表示電極と、絶縁膜の開口内に形成された発光層と、平面的に観て少なくとも前記発光層が形成されている領域を除いて前記絶縁膜と重畳された共通電極バスと、該共通電極バスおよび前記発光層をも被って形成される対向電極とを備え、
該対向電極は透光性の材料から構成されているとともに、前記共通バスは絶縁剤からなる接着剤を介して前記絶縁膜の上層に形成されていることを特徴とする有機ＥＬ表示装置。
【請求項５】
前記対向電極は隣接する他の画素の対向電極と接続されて形成されていることを特徴とする請求項３、４のいずれかに記載の有機ＥＬ表示装置。
【請求項６】
前記共通電極バスはその発光層側の側面が基板側に末広がりとなる斜面となっていることを特徴とする請求項３、４のいずれかに記載の有機ＥＬ表示装置。
【請求項７】
前記共通電極バスは少なくともその上面に黒色顔料を含む材料が被着されていることを特徴とする請求項３、４のいずれかに記載の有機ＥＬ表示装置。
【請求項８】
各画素にスイッチング素子を備えるアクティブマトリクス型の構成からなることを特徴とする請求項３、４のいずれかに記載の有機ＥＬ表示装置。
【請求項９】
基板面の各画素内のそれぞれに表示電極、発光層、対向電極が順次積層され、該対向電極は透光性の材料から構成されているとともに、
前記表示電極は一方向に並設される各画素のそれと共通にさせた映像信号線の一部として構成され、
前記対向電極は前記一方向に交差する他の方向に並設される各画素のそれと共通に形成されているとともに、該対向電極の延在方向に沿って少なくとも前記発光層が形成されている領域を除いて該対向電極に重畳された走査信号線を備え、
該走査信号線は導電剤からなる接着剤を介して該対向電極の上層に形成されていることを特徴とする有機ＥＬ表示装置。
【請求項１０】
前記走査信号線はその発光層側の側面が基板側に末広がりとなる斜面となっていることを特徴とする請求項９に記載の有機ＥＬ表示装置。
【請求項１１】
前記走査信号線は少なくともその上面に黒色顔料を含む材料が被着されていることを特徴とする請求項９に記載の有機ＥＬ表示装置。
【請求項１２】
単純マトリクス型の構成からなることを特徴とする請求項９に記載の有機ＥＬ表示装置。
【発明の詳細な説明】
【技術分野】
【０００１】
本発明は有機ＥＬ表示装置およびその製造方法に関する。
【背景技術】
【０００２】
有機ＥＬ表示装置は、基板上に形成された各画素内に、該基板側から下部電極、有機ＥＬ層、および上部電極が積層された構成を備え、該有機ＥＬ層に電流を流すことによって発光する該有機ＥＬからの光を、少なくとも前記電極のうち一方の電極（透光性の導電膜）を通して認識するようになっている。
【０００３】
ここで、いわゆるトップエミッション型と称されるものがあり、前記上部電極を各画素に共通に透光性の導電膜として形成し、かつ、該上部電極に基準電圧（下部電圧に印加する電圧に対して）を印加するものが知られている。
【０００４】
この場合、上部電極より下層となる部分に、下部電極に映像信号に対応する電圧を供給する電子回路およびこの電子回路を駆動させる信号線等を形成することによって、該上部電極の上側に他の配線層等を形成する必要のない構成となっている。
【０００５】
そして、前記各電極、電子回路、および信号線等は、主としてフォトリソグラフィ技術による選択エッチングによってパターン化された導電層、絶縁層、半導体層等の積層体から構成されている。画素の高精細化が要求される表示装置において、該方法により形成される各層はいずれも微細に加工できるからである。
【０００６】
したがって、現在における有機ＥＬ表示装置において、たとえば信号線等を形成するのに下記特許文献１ないし３に見られるようないわゆる転写方式によって形成する技術は知られていないものとなっている。
【０００７】
【特許文献１】特開平７−３２３６５４号公報
【０００８】
【特許文献２】特開平７−３３１４７９号公報
【特許文献３】特開平１０−２５５９１号公報
【発明の開示】
【発明が解決しようとする課題】
【０００９】
しかし、前記上部電極はたとえばＩＴＯ（Indium Tin Oxide）等の酸化膜で形成されているため、その電気的抵抗が比較的大きく、それを低減させる試みがなされている。
【００１０】
その一つの方法として、該上部電極上に発光源である有機ＥＬ層の形成領域を回避させてたとえば金属からなる配線層（バス）を形成することが考えられている。
【００１１】
しかし、この配線層をたとえばフォトリソグラフィ技術による選択エッチングによって形成する際に、たとえばフォトレジスト膜の除去液等が、基板上に既に形成されている有機ＥＬ層に浸透してしまい該有機ＥＬ層を劣化させてしまうことを免れなかった。有機ＥＬ層の湿気に極端に弱い属性等からである。
【００１２】
上述したように、上部電極の電気的抵抗を低減させる目的で形成する前記配線層はその選択する材料によっても異なるが、一般的には膜厚を許容できる程度まで厚く形成することが好ましく、この場合においてもそれに応じて前記有機ＥＬ層の劣化を助長させる原因ともなる。
【００１３】
なお、前記配線層を形成するのに、他の方法としてマスク蒸着あるいはマスクスパッタ等を採用することも考えられる。湿気をともなう液体を用いることはないからである。しかし、この方法を用いた場合、前記配線層を充分に厚く形成しなければならない関係上、配線層の形成完了まで比較的時間を要することになり、該マスクの有機ＥＬ層に対するダメージが許容範囲を越えてしまうことになり、該配線層を形成するには不適であることが確認されている。
【００１４】
本発明は、このような事情に基づいてなされたものであり、その目的は、有機ＥＬ層の特性劣化をもたらすことのない有機ＥＬ表示装置およびその製造方法を提供することにある。
【課題を解決するための手段】
【００１５】
本願において開示される発明のうち、代表的なものの概要を簡単に説明すれば、以下のとおりである。
【００１６】
（１）本発明による有機ＥＬ表示装置は、たとえば、基板面に発光層を含む複数の層が積層され、このうち該発光層よりも上層に位置づけられるパターン化された層を備え、
このパターン化された層は接着剤を介して積層されていることを特徴とする。
【００１７】
（２）本発明による有機ＥＬ表示装置の製造方法は、たとえば、発光層を含む複数の層が積層された基板と、パターン化された層が形成され該パターン化された層の表面に接着剤を備えた可撓性基板とを用意し、
該可撓性基板を、そのパターン化された層を前記基板の発光層を含む複数の層が積層された面に対向させて、前記基板に対して圧着する工程と、
前記パターン化された層を前記基板側に残存させて前記可撓性基板を取り除く工程とを有することを特徴とする。
【００１８】
（３）本発明による有機ＥＬ表示装置は、たとえば、基板面の各画素内のそれぞれに表示電極、発光層、対向電極が順次積層され、該対向電極は透光性の材料から構成されているとともに、
平面的に観て少なくとも前記発光層が形成されている領域を除いて前記対向電極と重畳された共通電極バスを備え、
該共通電極バスは導電剤からなる接着剤を介して前記対向電極の上層に形成されていることを特徴とする。
【００１９】
（４）本発明による有機ＥＬ表示装置は、たとえば、基板面の各画素内のそれぞれに、表示電極と、絶縁膜の開口内に形成された発光層と、平面的に観て少なくとも前記発光層が形成されている領域を除いて前記絶縁膜と重畳された共通電極バスと、該共通電極バスおよび前記発光層をも被って形成される対向電極とを備え、
該対向電極は透光性の材料から構成されているとともに、前記共通バスは絶縁剤からなる接着剤を介して前記絶縁膜の上層に形成されていることを特徴とする。
【００２０】
（５）本発明による有機ＥＬ表示装置は、たとえば、（３）、（４）のいずれかの構成を前提とし、前記対向電極は隣接する他の画素の対向電極と接続されて形成されていることを特徴とする。
【００２１】
（６）本発明による有機ＥＬ表示装置は、たとえば、（３）、（４）のいずれかの構成を前提とし、前記共通電極バスはその発光層側の側面が基板側に末広がりとなる斜面となっていることを特徴とする。
【００２２】
（７）本発明による有機ＥＬ表示装置は、たとえば、（３）、（４）のいずれかの構成を前提とし、前記共通電極バスは少なくともその上面に黒色顔料を含む材料が被着されていることを特徴とする。
【００２３】
（８）本発明による有機ＥＬ表示装置は、たとえば、（３）、（４）のいずれかの構成を前提とし、各画素にスイッチング素子を備えるアクティブマトリクス型の構成からなることを特徴とする。
【００２４】
（９）本発明による有機ＥＬ表示装置は、たとえば、基板面の各画素内のそれぞれに表示電極、発光層、対向電極が順次積層され、該対向電極は透光性の材料から構成されているとともに、
前記表示電極は一方向に並設される各画素のそれと共通にさせた映像信号線の一部として構成され、
前記対向電極は前記一方向に交差する他の方向に並設される各画素のそれと共通に形成されているとともに、該対向電極の延在方向に沿って少なくとも前記発光層が形成されている領域を除いて該対向電極に重畳された走査信号線を備え、
該走査信号線は導電剤からなる接着剤を介して該対向電極の上層に形成されていることを特徴とする。
【００２５】
（１０）本発明による有機ＥＬ表示装置は、たとえば、（９）の構成を前提とし、前記走査信号線はその発光層側の側面が基板側に末広がりとなる斜面となっていることを特徴とする。
【００２６】
（１１）本発明による有機ＥＬ表示装置は、たとえば、（９）の構成を前提とし、前記走査信号線は少なくともその上面に黒色顔料を含む材料が被着されていることを特徴とする。
【００２７】
（１２）本発明による有機ＥＬ表示装置は、たとえば、（９）の構成を前提とし、単純マトリクス型の構成からなることを特徴とする。
【００２８】
なお、本発明は以上の構成に限定されず、本発明の技術思想を逸脱しない範囲で種々の変更が可能である。
【発明を実施するための最良の形態】
【００２９】
以下、本発明による有機ＥＬ表示装置の実施例を図面を用いて説明をする。
【００３０】
図２は本発明による有機ＥＬ表示装置の一実施例を示す平面図である。
【００３１】
たとえばガラスから構成される基板ＳＵＢがあり、この基板ＳＵＢ上にはマトリクス状に配置された多数の各画素ＰＩＸが形成されている。
【００３２】
これら各画素ＰＩＸは、その画素内において基板ＳＵＢ側から表示電極ＰＸ、有機ＥＬ層ＥＬ、および対向電極ＣＴが順次積層されて形成されている。表示電極ＰＸから有機ＥＬ層ＥＬを介して対向電極ＣＴへ所定の電流を流すことによって該電流値に応じた輝度で有機ＥＬ層ＥＬを発光させるようになっている。
【００３３】
図中ｘ方向に並設されるｘ方向画素群と隣接される他のｘ方向画素群との間にはゲート信号線ＧＬが走行され、これらゲート信号線ＧＬの少なくとも一端は駆動回路ＧＤＲＶに接続されて、それぞれ走査信号が供給されるようになっている。
【００３４】
これらゲート信号線ＧＬは各ｘ方向画素群のうちの一の画素群を順次選択する機能を有する。すなわち、各画素ＰＩＸごとにスイッチング素子（図示せず）を有し、このスイッチング素子は該ゲート信号線ＧＬに供給される走査信号によってオンされ、後述するドレイン信号線ＤＬからの映像信号を該スイッチング素子を通して当該画素ＰＩＸ内に供給させるようになっている。
【００３５】
図中ｙ方向に並設されるｙ方向画素群と隣接される他のｙ方向画素群との間にはドレイン信号線ＤＬが走行され、これらドレイン信号線ＤＬの少なくとも一端は駆動回路ＤＤＲＶに接続されて、それぞれ映像信号が供給されるようになっている。
【００３６】
また、各ドレイン信号線ＤＬに隣接かつ平行に形成される電源信号線ＰＬが形成されており、前述のようにスイッチング素子を通して画素内に導かれた映像信号は、図示しない回路（スイッチング素子を含む）によって前記電源信号線ＰＬと表示電極ＰＸとの接続を図るようになっている。
【００３７】
ここで、前記対向電極ＣＴは、たとえばITO (Indium Tin Oxide)等の透光性の導電層から構成され、有機ＥＬ層ＥＬからの光を紙面表側に照射させるようにしているとともに、隣接する他の画素ＰＩＸの対向電極ＣＴと物理的に連結された状態で形成されている。すなわち、対向電極ＣＴは画素の集合として構成される表示部の全域に及んで形成されている。各画素における対向電極ＣＴには全て同じ電圧を供給すればよいからである。
【００３８】
そして、該対向電極ＣＴはそれが酸化膜で形成されていることから電気的抵抗が比較的高い（シート抵抗は約１０Ω□程度）のが通常である。このため、たとえば金属等から構成される共通電極バスＣＢがたとえば互いに隣接されるｙ方向画素群の間に設けられている。対向電極ＣＴの全体的な電気的抵抗を低減させ、各画素ＰＩＸにおける該対向電極ＣＴの電位を一様にするためである。すなわち、該共通電極バスＣＢは対向電極ＣＴの抵抗を低減させるための補助配線としての機能を有する。
【００３９】
仮に、共通電極バスＣＢを有しない場合を想定すると、対向電極ＣＴの周辺から給電しなければならず、該対向電極ＣＴの中央部はその電気的抵抗による電圧降下により輝度が低下してしまうからである。
【００４０】
前記電源信号線ＰＬおよび共通電極バスＣＢは、そのいずれもが各画素ＰＩＸにおいて一様な電圧が供給されることから、それぞれの一端は共通に接続された配線ＰＬＬ、ＣＢＬを有し、これら各配線を介して電圧が印加されるようになっている。
【００４１】
なお、このように表面加工される基板ＳＵＢの加工面には封止基板ＳＬＢが対向して配置され、該封止基板ＳＬＢの周辺に設けられたシール剤ＳＬ’を介して固着されている。湿気等によって劣化され易い有機ＥＬ層ＥＬおよび他の電子回路等を保護するためである。
【００４２】
ここで、以下の説明からも明らかとなるが、前記共通電極バスＣＢは、それをフォトリソグラフィ技術による選択エッチング法、あるいはマスク蒸着で形成することを回避したものとなっていることから、たとえばゲート信号線ＧＬあるいはドレイン信号線ＤＬと比較して層厚が大きく形成されたものとなっている。このため、これら各共通電極バスＣＢを共通に接続する前記配線ＣＢＬの全部、あるいはそのうち前記シール剤ＳＬ’を越えて引き出される部分が他の薄膜配線によって形成されている。基板ＳＵＢと封止基板ＳＬＢとのシールを膜厚の大きな配線によって機密性が阻害されることを解消するためである。
【００４３】
上述した実施例では、共通電極バスＣＢは、図中ｙ方向に延在しｘ方向に並設されたパターンとして形成したものである。しかし、ｘ方向に延在しｙ方向に並設されたパターンとして形成した場合であっても同様である。さらに、有機ＥＬ層ＥＬの形成個所に開口を設けた格子状（メッシュ状）のパターンであってもよいことはもちろんである。このように格子状のパターンとすることによって、対向電極ＣＴの全体における電気的抵抗を低減できるとともに、電圧供給がさらに一様にできるからである。
【００４４】
しかし、以下の説明においては、前記共通電極バスＣＢは図２に示したパターンを有するものとして説明する。
【００４５】
図１は、図２においてそのｘ方向に沿って、すなわち前記共通電極バスＣＢと交差する方向における断面を示す図である。
【００４６】
基板ＳＵＢ上には、その表面側から、電源信号線ＰＬおよびスイッチング素子である薄膜トランジスタＴＦＴ、これら電源信号線ＰＬ等をも被って形成される第１絶縁膜ＩＮＳ１、表示電極ＰＸ、実質的に発光領域となる部分を除く部分に形成される第２絶縁膜ＩＮＳ２、前記発光領域であって表示電極ＰＸ上に形成される有機ＥＬ層ＥＬ、該有機ＥＬ層ＥＬをも被って形成される対向電極ＣＴ、共通電極バスＣＢが順次形成されている。
【００４７】
前記薄膜トランジスタＴＦＴは、そのオン駆動によって電源信号線ＰＬからの電源を表示電極ＰＸに供給するように構成されている。なお、該薄膜トランジスタＴＦＴを駆動する回路およびゲート信号線ＧＬからの走査信号を画素内に導く上述のスイッチング素子は図示されていない。
【００４８】
ここで、前記共通電極バスＣＢは、上述したように、その下層に形成される対向電極ＣＴに電圧を供給する信号線として機能するとともに、たとえば金属等により形成されて対向電極ＣＴの全域にわたって電気的抵抗を低減させる機能をも有している。
【００４９】
そして、この共通電極バスＣＢは、予めパターン化されて形成されたそれを対向電極ＣＴの表面に接着させたものとして形成されている。換言すれば、前記共通電極バスＣＢは対向電極ＣＴに転写されたものとして構成されている。この方法を用いた場合の特徴的な構造は、該共通電極バスＣＢと対向電極ＣＴとの間に接着剤（導電剤）ＡＤが介在されていることによって顕れている。
【００５０】
このようにした理由は、たとえばフォトリソグラフィ技術による選択エッチング処理によって共通電極バスＣＢを形成する場合において、それが有機ＥＬ層ＥＬよりも上層に位置づけられているため、該処理液等によって該有域ＥＬ層ＥＬを劣化させてしまうのを回避させんがためである。
【００５１】
また、たとえばマスク蒸着、あるいはマスクスパッタ等によって共通電極バスＣＢを形成する場合において、該マスクの機械的強度をある程度確保しなくてはならない制限から、微細な共通電極バスＣＢの形成を困難にする不都合を解消させんがためである。また、この場合において、該マスクの被蒸着等面への接触による歩留まり低下の発生を防止せんがためである。
【００５２】
図３は、前記基板ＳＵＢ（対向電極ＣＴを形成し終わった時点での基板ＳＵＢ）に前記共通電極バスＣＢを転写させるための被転写部材ＴＭを示した説明図である。
【００５３】
この被転写部材ＴＭは、該共通電極バスＣＢが形成されたフィルム基板ＦＢから構成されている。このフィルム基板ＦＢは後述する効果をもたらすため可塑性（フレキシブル）を有するものが用いられている。
【００５４】
フィルム基板ＦＢの表面には前記共通電極バスＣＢがたとえば電着法により形成され、そのパターンは図２に示した共通電極バスＣＢのそれと対応したものとなっている。ただし、フェースダウンで転写する関係から該パターンは上下左右が反転した状態で形成されている。また、後述する効果をもたらすため基板ＳＵＢに形成される共通電極バスＣＢの寸法よりも若干縮小（０〜５％程度）された寸法で形成されている。
【００５５】
なお、図３においては、各共通電極バスＣＢを共通接続させるための配線が形成されていないものとなっている。上述したように、シール剤ＳＬ’を越えて形成される配線ＣＢＬは薄膜で別個に形成し、該配線ＣＢＬを横切って形成されるシール剤ＳＬ’の機密性を担保せんがためである。
【００５６】
フィルム基板ＦＢに形成された共通電極バスＣＢは、断面図である図３（ｂ）に示すように、該フィルム基板ＦＢに対していわゆる仮接着層ＴＡＤによって被着され、また、上面にも前記接着剤（導電剤）ＡＤが形成されている。この接着剤はその材料として溶剤を含まず、有機ＥＬ層を変質させるガス放出が少ないものが好ましい。
【００５７】
また、フィルム基板ＦＢの表面であって、共通電極バスＣＢが形成される領域のたとえば外側にアライメントマークＡＭが形成されている。このアライメントマークＡＭは転写の際にフィルム基板ＦＢの基板ＳＵＢに対する正確な位置決めを行なうためのそれである。
【００５８】
このようなフィルム基板ＦＢは、それが可撓性のものであり、取り扱いを容易にするため、図４に示すように、たとえばその左右両端においてそれぞれ一対の冶具ＡＰによって挟み、各端の冶具ＡＰを左右外側にテンションをかけることによって、フィルム基板ＦＢ自体を一様な平面体とすることができる。
【００５９】
このフィルム基板ＦＢを、該共通電極バスＣＢが形成され面をフェースダウンさせて前記基板ＳＵＢに当接させ、さらに圧着させることによって該共通電極バスＣＢの転写がなされるが、この場合において、図５に示すように、該フィルム基板ＦＢを、その両端に設けた冶具ＡＰが互いに離れる方向に、換言すれば共通電極バスＣＢの並設方向に若干伸長させて基板ＳＵＢとの位置合わせ（寸法調整）を行なうことによって、各共通電極バスＣＢを基板ＳＵＢの所定位置に精度よく位置づけることができる。
【００６０】
このように該フィルム基板ＣＢを伸長させて位置合わせをするのは、仮に、フィルム基板ＣＢが温度によって膨張しており、転写前の共通電極バスＣＢの寸法が、基板ＳＵＢに転写される所定の共通電極バスＣＢの寸法よりも大きくなっている場合に、迅速な位置合わせが困難となる不都合を解消せんがためである。
【００６１】
なお、共通電極バスＣＢの基板ＳＵＢに対する位置合わせは、該フィルム基板ＳＵＢに設けられたアライメントマークＡＭと基板ＳＵＢに形成したターゲットマークＴＭとの重ねあわせによって行なっている。
【００６２】
そして、転写は基板ＳＵＢに対して被転写部材ＴＭを圧着を行なうことによってなされ、この際、常温、常圧下で行なうことができ、有機ＥＬ層ＥＬにその特性上の劣化（輝度劣化）の発生を生じさせるのを防止することができる。共通電極バスＣＢの形成個所は、画素とこの画素に隣接する他の画素との間の領域であり、有機ＥＬ層が形成されている個所を回避した部分となっていることから、転写時における圧着が該有機ＥＬ層に影響を与えることはなく、それによるダメージを回避することができる。また、この実施例では、有機ＥＬ層を被って形成される対向電極ＣＴの上層に該共通電極バスＣＢを接着させる構成となっていることから、該接着に要する接着剤ＡＤの材料が対向電極ＣＴ内に拡散することはあっても、有機ＥＬ層ＥＬに接触するようなことはなく、これにより有機ＥＬ層ＥＬの該接着剤ＡＤによる変質も防止できるようになっている。
【００６３】
ここで、基板ＳＵＢに対するフィルム基板ＦＢの圧着後において、該基板ＳＵＢに転写された共通電極バスＣＢを残して該フィルム基板ＦＢのみを剥がすことになるが、前述した仮接着層ＴＡＤは該フィルム基板ＦＢ側に残存するようにその材料を選定するのが望ましい。
【００６４】
図５においては、フィルム基板ＦＢの伸長はその一方向のみに行なってなされることを示している。しかし、転写する配線のパターンによっても異なってくるが、これに限定されることはなく、これと直交する方向にも同時に伸長させて行なうようにしてもよいことはいうまでもない。たとえば、上述したように共通電極バスＣＢを格子状に形成した場合に、ｘ方向およびｙ方向にも伸長させて位置合わせをするようにすることによって、転写時のパターン変形が少なく、寸法、形状の精度を向上させる効果を奏する。
【００６５】
上述した構成では、転写される共通電極バスＣＢの対向電極ＣＴへの固着は導電剤からなる接着剤ＡＤを介して行なったものである。共通電極バスＣＢを含んで対向電極ＣＴの全域にわたる電気的抵抗を低減させるためである。
【００６６】
しかし、図６に示すように、共通電極バスＣＢを対向電極ＣＴの形成前に形成し、この対向電極ＣＴによって該共通電極バスＣＢを被うような構成とするようにしてもよく、この場合、該共通電極バスＣＢの基板ＳＵＢ側への固着は絶縁剤からなる接着剤ＡＤとするようにしてもよい。該共通電極バスＣＢの形成は有機ＥＬ層ＥＬの形成後になされ、共通電極バスＣＢと対向電極ＣＴとの電気的接続は該共通電極バスＣＢの側面および上面でなされるようになるからである。
【００６７】
この場合、接着剤ＡＤは、導電剤とする必要がないことから有機ＥＬ層ＥＬを変質させるような物質を含ませることがなく、有機ＥＬ層ＥＬの特性上好ましい構成とすることができる。
【００６８】
また、フルカラー表示用のものを形成する工程で、各色の有機ＥＬ層ＥＬを選択的に形成（たとえばマスク蒸着法が用いられる）する際に、前記共通電極バスＣＢが既に形成されている場合において、該共通電極バスＣＢが基板ＳＵＢ面におけるマスクとの密着を回避させることができ、これによりいわゆる画素欠陥の発生を防止できる効果を有する。そして、各有機ＥＬ層ＥＬの形成時において、該共通電極バスＣＢは、該有機ＥＬの材料の隣接する他の画素側への回り込みを遮ることができ、表示の混色を防止できる効果も有する。
【００６９】
図７は、本発明による有機ＥＬ表示装置の他の実施例を示し、図１に対応した図となっている。
【００７０】
図１の場合と比較して異なる構成は、まず、図１がいわゆるアクティブマトリクス型を対象としているのに対し、図７はいわゆる単純マトリクス型を対象としていることにある。
【００７１】
単純マトリクス型は、図７に示すように、基板ＳＵＢの面に、そのｘ方向に延在されｙ方向に並設される走査信号線ＳＬと、ｙ方向に延在されｘ方向に並設される映像信号線ＩＬとが形成され、これら信号の交差部あるいはその近傍に設けられた有機ＥＬ層ＥＬに該映像信号線ＩＬから走査信号線ＳＬへ導かれる電流によって該有域ＥＬ層ＥＬを発光させるようになっている。該電流の値は信号駆動回路ＤＤＲＶから各ドレイン信号線ＤＬに印加される階調電圧に対応するようになっている。一方、走査信号線ＳＬの一端は走査駆動回路ＳＤＲＶに接続され、この走査駆動回路ＳＤＲＶによって各走査信号線ＳＬを走査するようになっている。
【００７２】
各画素の発光源となる有機ＥＬ層ＥＬは、図７の走査信号線ＳＬを交差する方向の断面図である図８に示すように、その下層に形成される映像信号線ＩＬの一部（一方の電極を兼ねる）に重畳されて形成され、また、該有機ＥＬ層ＥＬの上面はたとえばＩＴＯ等で構成された他の電極（上部電極ＵＴ）が形成され、この上部電極ＵＴの一部には前記有機ＥＬ層ＥＬの形成領域を避けて走査信号線ＳＬが積層されて形成されている。ここで、前記上部電極ＵＴは、図７に示すように、たとえば図中ｘ方向に並設される複数の各画素に共通に形成されている。
【００７３】
なお、前記有機ＥＬ層ＥＬは、当初において流動性を有する材料からなるため、それを定位置に形成するため絶縁膜ＩＮＳに形成された開口部に充填されて形成され、また、該絶縁膜ＩＮＳは前記映像信号線ＩＬと走査信号線ＳＬとの層間絶縁膜としての機能を有している。
【００７４】
そして、有機ＥＬ層ＥＬの上層に形成される前記走査信号線ＳＬにおいても、上述した実施例と同様に、予めパターン化されて形成されたそれを転写させて構成され、これによる特徴的な構造は、該ゲート信号線ＧＬと上部電極との間に接着剤（導電剤）ＡＤが介在されていることによって顕れている。
【００７５】
これにより、前記走査信号線ＳＬをたとえばフォトリソグラフィ技術による選択エッチング処理によって形成するのを回避でき、その処理液等によって該有域ＥＬ層ＥＬを劣化させてしまうのを防止することができる。
【００７６】
なお、上述のようにたとえばＩＴＯで形成される上部電極ＵＴはパターン化されたものとして形成されているが、その形成にあってはマスク蒸着あるいはマスクスパッタを採用するのが好適となる。上述したようにマスク蒸着あるいはマスクスパッタを用いた場合、既に基板ＳＵＢに形成されている有機ＥＬ層ＥＬにある程度のダメージを与えることは免れないが、該上部電極ＵＴの膜厚は薄く、この程度の膜厚を形成する間に受けるダメージは充分に許容できる範囲となるからである。
【００７７】
必要となる構成は、該上部電極の電気的抵抗を低減させる機能をも有する走査信号線ＳＬの形成において、フォトリソグラフィ技術による選択エッチング、マスク蒸着、あるいはマスクスパッタを用いないことにある。走査信号線ＳＬはその膜厚を充分に大きく確保することが要求され、その形成に要する時間がかかり、有機ＥＬ層ＥＬの特性劣化等は必然的となるからである。
【００７８】
次に、図１の場合と比較して異なる他の構成は、前記走査信号線ＳＬの表面（封止基板ＳＬＢに対向する面）に黒色顔料ＢＰが塗布されていことにある。
【００７９】
走査信号線ＳＬはその電気抵抗値を低減させるためたとえば金属層で構成され、封止基板ＳＬＢを通して各画素からなる表示部を観察する場合に、その表面で反射する光を該黒色顔料ＢＰで低減させるようにしているものである。
【００８０】
このことから、必ずしも黒色顔料ＢＰを用いることはなく、それに近い色の顔料を用いるようにしてもよく、また、反射効率の低い材料を積層させるようにしてもよい。さらに、該表面を粗面加工させていわゆる乱反射される状態にするようにしてもよい。
【００８１】
このような構成は、図１に示した構成においてもそのまま適用できるものであり、そのようにしてもよいことはいうまでもない。
【００８２】
さらに、図１の場合と比較して異なる構成は、前記走査信号線ＳＬのそれに近接して配置される有機ＥＬ層ＥＬ側の側面において、基板ＳＵＢ側に末広がりとなるような斜面ＳＳが形成されていることにある。前記走査信号線ＳＬの側面を、有機ＥＬ層ＥＬからの光を反射させ観察者側に導くように機能させ、光の有効利用を図らんとするものである。
【００８３】
このような構成は、図１に示した構成においてもそのまま適用できるものであり、そのようにしてもよいことはいうまでもない。
【００８４】
上述した各実施例はそれぞれ単独に、あるいは組み合わせて用いても良い。それぞれの実施例での効果を単独であるいは相乗して奏することができるからである。
【図面の簡単な説明】
【００８５】
【図１】本発明による有機ＥＬ表示装置の一実施例を示す断面図である。
【図２】本発明による有機ＥＬ表示装置の一実施例を示す平面図である。
【図３】本発明による有機ＥＬ表示装置の製造の際に用いる被転写部材を示す斜視図およびそれに被着されている共通電極バスの断面図である。
【図４】前記転写部材にテンションをかけた状態を示す斜視図である。
【図５】基板への転写の際に前記転写部材を一方向に伸長させて位置合わせをする説明図である。
【図６】本発明による有機ＥＬ表示装置の他の実施例を示す断面図で、図１と対応した図となっている。
【図７】本発明による有機ＥＬ表示装置の他の実施例を示す平面図で、図２と対応した図となっている。
【図８】本発明による有機ＥＬ表示装置の他の実施例を示す断面図で、図１と対応した図となっている。
【符号の説明】
【００８６】
ＳＵＢ…基板、ＧＬ…ゲート信号線、ＤＬ…ドレイン信号線、ＰＬ…電源信号線、ＣＢ…共通電極バス、ＰＸ…表示電極、ＥＬ…有機ＥＬ層、ＣＴ…対向電極、ＡＤ…接着剤、ＳＬ’…シール剤、ＳＬＢ…封止基板、ＴＭ…被転写部材、ＦＢ…フィルム基板、ＡＰ…冶具、ＳＬ…走査信号線、ＩＬ…映像信号線
【図１】
2006004731.tif 000003
【図２】
2006004731.tif 000004
【図３】
2006004731.tif 000005
【図４】
2006004731.tif 000006
【図５】
2006004731.tif 000007
【図６】
2006004731.tif 000008
【図７】
2006004731.tif 000009
【図８】
2006004731.tif 000010